(57)【要約】【課題】  本発明の課題は、簡易な構成で施用タイミングを確実に合わせて規定量の薬剤を苗に対して適切に施用することができる歩行型薬剤施用苗株移植機を提供することにある。【解決手段】  変速伝動装置７に主車輪１０および歩行操作用の操縦ハンドル８を設けた機体と、その変速伝動装置７の後方で昇降駆動される植付ホッパ３によって苗株を植付けする植付装置と、薬剤を繰出す繰出機構５２を備えた薬剤施用装置５１とを備える歩行型薬剤施用苗株移植機において、前記薬剤施用装置５１は、植付装置と操縦ハンドル８との間の位置に配置し、前記植付ホッパ３を機体左右方向に２つ並列して配置し、植付装置の直近に植付ホッパ３による左右各苗植付位置を鎮圧する左右の鎮圧装置４を設け、前記繰出機構５２に案内ホース５４を接続すると共に、この案内ホース５４の下端の吐出口を前記鎮圧装置４の支持フレーム４ａに取付ける。【選択図】      図１
2014131520.tif 000002
【特許請求の範囲】
【請求項１】
変速伝動装置（７）に主車輪（１０）および歩行操作用の操縦ハンドル（８）を設けた機体と、その変速伝動装置（７）の後方で昇降駆動される植付ホッパ（３）によって苗株を植付けする植付装置と、薬剤を繰出す繰出機構（５２）を備えた薬剤施用装置（５１）とを備える歩行型薬剤施用苗株移植機において、
前記薬剤施用装置（５１）は、植付装置と操縦ハンドル（８）との間の位置に配置し、
前記植付ホッパ（３）を機体左右方向に２つ並列して配置し、植付装置の直近に植付ホッパ（３）による左右各苗植付位置を鎮圧する左右の鎮圧装置（４）を設け、
前記繰出機構（５２）に案内ホース（５４）を接続すると共に、この案内ホース（５４）の下端の吐出口を前記鎮圧装置（４）の支持フレーム（４ａ）に取付けることを特徴とする歩行型薬剤施用苗株移植機。
【請求項２】
前記薬剤施用装置（５１）の中心位置を、案内ホース（５４）の最大条間と最小条間の中心位置にすることを特徴とする請求項１記載の歩行型薬剤施用苗株移植機。
【請求項３】
薬剤施用位置を、前記支持フレーム（４ａ）に沿って前後方向に調節可能にすることを特徴とする請求項１乃至２のいずれか１項に記載の歩行型薬剤施用苗株移植機。
【請求項４】
前記鎮圧輪（４）の内側面（Ｂ）にリブ（４ｃ）を形成し、この内側面Ｂを外側に傾斜して薬剤が当たる位置に案内ホース（７４）の吐出口を固定し、
リブ（４ｃ）は、鎮圧輪（４）の中心部を高く外周側を徐々に低くして、鎮圧輪（４）が回動するまで上部に受けた薬剤を一時的に保持することを特徴とする請求項１乃至３のいずれか１項に記載の歩行型薬剤施用苗株移植機。
【発明の詳細な説明】
【技術分野】
【０００１】
本発明は、変速伝動装置に主車輪および歩行操作用の操縦ハンドルを設けた機体に植付装置と薬剤施用装置とを備える歩行型薬剤施用苗株移植機に関するものである。
【背景技術】
【０００２】
変速伝動装置に主車輪および歩行操作用の操縦ハンドルを設けた機体に植付装置と薬剤施用装置とを備える歩行型薬剤施用苗株移植機において、植付けするべき各苗株について規定量の薬剤（肥料や殺菌剤や殺虫剤などの薬剤）を施用するためには、植付ホッパのタイミングと合わせるとともに、株間距離の変更に対応するための複雑な伝動系による薬剤吐出手段を要し、コスト上およびメンテナンス上の問題を避けることができないことから、この問題を解決するために、特許文献１に示される薬剤施用装置を備えた植付装置が知られている。
【０００３】
この苗株移植機の植付装置は、投入苗株を受ける周回カップを備えた回転テーブルによる苗株供給装置に薬剤施用装置を設けることによって簡易かつ確実に規定量の薬剤を施用しつつ、その下方で上下動作する植付ホッパによって苗株を圃場に植付けすることができる。
【先行技術文献】
【特許文献】
【０００４】
【特許文献１】特開２０００−１２５６１９号公報
【発明の概要】
【発明が解決しようとする課題】
【０００５】
しかしながら、上記構成の薬剤施用装置は、周回カップ内の苗に上方から薬剤が供給される構成であるために、苗の葉や茎に薬剤が大量に付着してしまって、苗が薬害を受けてしまい、移植後の苗の成育に問題があった。また、植付けする苗株を移送するカップ内に薬剤が付着したり植付具に付着することがあり、施用量のバラツキを招くという問題があった。
【０００６】
解決しようとする問題点は、簡易な構成で施用タイミングを確実に合わせて規定量の薬剤を苗に対して適切に施用することができる歩行型薬剤施用苗株移植機を提供することにある。
【課題を解決するための手段】
【０００７】
請求項１の発明は、変速伝動装置に主車輪および歩行操作用の操縦ハンドルを設けた機体と、その変速伝動装置の後方で昇降駆動される植付ホッパによって苗株を植付けする植付装置と、薬剤を繰出す繰出機構を備えた薬剤施用装置とを備える歩行型薬剤施用苗株移植機において、前記薬剤施用装置は、植付装置と操縦ハンドルとの間の位置に配置し、前記植付ホッパを機体左右方向に２つ並列して配置し、植付装置の直近に植付ホッパによる左右各苗植付位置を鎮圧する左右の鎮圧装置を設け、前記繰出機構に案内ホースを接続すると共に、この案内ホースの下端の吐出口を前記鎮圧装置の支持フレームに取付けることを特徴とする。
【０００８】
請求項２の発明は、請求項１の構成において、前記薬剤施用装置の中心位置を、案内ホースの最大条間と最小条間の中心位置にすることを特徴とする。
請求項３の発明は、請求項１乃至２のいずれか１項の構成において、薬剤施用位置を、前記支持フレームに沿って前後方向に調節可能にすることを特徴とする。
【０００９】
請求項４の発明は、請求項１乃至３のいずれか１項の構成において、前記鎮圧輪の内側面にリブを形成し、この内側面Ｂを外側に傾斜して薬剤が当たる位置に案内ホースの吐出口を固定し、リブは、鎮圧輪の中心部を高く外周側を徐々に低くして、鎮圧輪が回動するまで上部に受けた薬剤を一時的に保持することを特徴とする。
【発明の効果】
【００１０】
請求項１の発明の歩行型薬剤施用苗株移植機は、植付装置と操縦ハンドルとの間に薬剤施用装置を配置したことから、機体バランスの改善とともに、操縦ハンドル側からの薬剤タンクの視認性を確保することができる。
【００１１】
また、繰出機構に案内ホースを接続すると共に、この案内ホースの下端の吐出口を前記鎮圧装置の支持フレームに取付けるので、条間調節にかかわらず吐出口と苗との位置関係を維持できる。
【００１２】
請求項２の発明の歩行型薬剤施用苗株移植機は、薬剤施用装置の中心位置を、案内ホースの最大条間と最小条間の中心位置にすることから、請求項３の効果に加え、条間調節による薬剤落下までのタイムラグの変化を抑制できる。
【００１３】
請求項３の発明の歩行型薬剤施用苗株移植機は、薬剤施用位置を、支持フレームに沿って前後方向に調節可能にすることから、請求項１〜２の効果に加え、薬剤施用位置を、前後方向に調節できる。
【００１４】
請求項４の発明の歩行型薬剤施用苗株移植機は、請求項１〜３の効果に加え、鎮圧前の植え穴に薬剤を確実に入れることができる。
【図面の簡単な説明】
【００１５】
【図１】本発明に係る歩行型薬剤施用苗株移植機の側面図
【図２】図１の苗株移植機の要部背面図
【図３】スライド支持構成の薬剤施用装置の要部側面図
【図４】図３の薬剤施用装置の背面図
【図５】鎮圧輪フレーム装荷の薬剤施用装置の要部側面図
【図６】図５の薬剤施用装置の背面図
【図７】植付けホッパ装荷の薬剤施用装置の要部側面図（ａ）とその拡大図（ｂ）
【図８】植付部カバー内配置の薬剤施用装置の要部側面図
【発明を実施するための最良の形態】
【００１６】
上記技術思想に基づいて具体的に構成された実施の形態について以下に図面を参照しつつ説明する。
図１は、本発明に係る歩行型薬剤施用苗株移植機の側面図である。
【００１７】
この発明の実施の一形態の２条植え苗株移植機を以下に説明する。尚、以下の説明では、操縦ハンドル８を配置した側を後とし、その反対側、即ちエンジン６を配置した側を前とする。そして、機体後部において機体前部側に向って立つ作業者の右手側を右とし、左手側を左とする。
【００１８】
機体２は、前部にエンジン６、及び変速伝動装置であるミッションケース７を配置して、その後方に延びるフレーム２ｃの後端部に操縦ハンドル８を設け、ミッションケース７の両側に張出す左右アクスルハウジング９の周りに回動する回動筒部９ａに各々上下揺動する左右の車輪伝動ケース１を設け、この車輪伝動ケース１の後端部に設けた車軸１１に主車輪１０を軸装して、これら左右の車輪１０と、機体２前端部に設けた前輪軸１２に軸装した左右の前輪１３とによって走行する構成にしている。また、エンジン６の上側には燃料タンク６ｂが設けられ、その上部をボンネット６ｃが覆い、このボンネット６ｃの上方に苗株を投入する作業者用の座席３３を設ける。
【００１９】
機体２には左右の車輪１０を上下動させて機体高さを制御する機体制御機構が設けられている。この機体制御機構は、ミッションケース７の上に配置した油圧バルブユニットから後方に向けて昇降アクチュエータとしての昇降油圧シリンダ１５が設けられ、該昇降油圧シリンダ１５のピストンロッドの先端部に機体左右方向に長いアームとしての連動アーム１６が上下方向の軸まわりに回動自在に取り付けられている。ピストンロッドは、前部が油圧バルブユニットに支持され後部が機体２に固着された取付部材２ａに支持されたガイド軸２ｂに沿って摺動するようになっている。連動アーム１６の左右両端部と、回動筒部９ａに固着した左右のハウジングアーム１４とが、連結体としての左右ロッド１８を介して連結されている。左側の左ロッド１８は、ローリングシリンダ１７が組み込まれており、該ローリングシリンダ１７を伸縮作動させることにより長さを変えられるようになっている。
【００２０】
昇降油圧シリンダ１５及びローリングシリンダ１７は、各々作動油を油圧バルブユニット内の昇降制御バルブとローリング制御バルブとで制御して作動させられる。昇降油圧シリンダ１５を伸縮作動させると、左右車輪１０が同方向に同量だけ機体に対し上下動し、機体が昇降する。また、ローリングシリンダ１７を伸縮作動させると、左車輪１０が機体に対し上下動し、機体が左右に傾斜する。
【００２１】
５は畝上面を検出する昇降センサであって、該昇降センサ５が上下回動すると、その回動を連結ロッドにて昇降制御バルブに伝え、昇降センサ５の角度が元に戻る方向に昇降油圧シリンダ１５を作動させる。これにより、畝の上面から機体までの高さを一定に維持するように機体を昇降制御し、畝の高さ変更に係わらず常に苗の植付深さが一定になるように制御され、植付後の苗の成育が良い。
【００２２】
なお、油圧バルブユニット内のローリング制御バルブは後述の左右鎮圧具４の相対高さの変動による畝Ａ上面の左右傾斜検出に連動して切り替わるようになっており、機体が左右に傾斜するとローリングシリンダ１７が適宜作動し、機体を左右水平に戻すように制御する。また、操縦ハンドル８の基部には操作パネル８ａが設けられ、該操作パネル８ａに、昇降制御バルブを手動操作して機体を手動にて上下動させると共に植付部の駆動を止める植付昇降レバー８ｂとメインクラッチの入・切操作をするメインクラッチレバー８ｃが設けられている。
【００２３】
即ち、一方のハウジングアーム１４と連動アーム１６の側端部との間を連結する一側部の前記ローリングシリンダ１７の伸縮によって、この側の車輪１０を、他側部の前記ロッド１８によって連結された側の車輪１０に対して昇降させて、機体２をローリングさせて、機体２の左右傾斜を水平にしたり、土壌面に対して平行状にすることができ、機体２の左右傾斜姿勢を制御することができる。そして、このような昇降制御は、後述の昇降センサ５の検出により行い、ローリング制御は、苗植位置の植付けた苗に対して左右側部から鎮圧作用を行なう鎮圧具４によって左右傾斜状態を検出して行うものである。
【００２４】
ここにおいて、左右の車輪伝動ケース１を上下揺動可能に設けた苗植機において、機体左右方向に２つ並列して配置した左右の植付具である植付ホッパ３による左右各苗植付位置を鎮圧する左右鎮圧具４の上下揺動によってローリング制御する構成である。植付ホッパ３の昇降によって圃場に植付けた苗の左右側方を鎮圧具４によって鎮圧し、苗植付姿勢を安定した状態とする。このとき、左右の苗植付位置を各々鎮圧する左右鎮圧具４の支持フレーム４ａを、苗植付土壌面の左右傾斜を検出するセンサとして機能する構成にしている。左右の各鎮圧具４は、左右の苗植位置毎に独立的に上下揺動して、この揺動位置の高さの差異によって植付土壌面の左右傾斜を検出して、これらの土壌面の傾斜検出によって前記一方の車輪伝動ケース１を上下に揺動させて、機体２を土壌面と左右平行状に維持するようにローリング制御する。
【００２５】
また、前記左右の車輪伝動ケース１の非苗植位置への揺動（左右車輪１０を最下動させて機体を最も上昇させた状態）によって、左右両鎮圧具４を非接地高さへ上昇するように連動構成している。即ち、機体を高く上昇させるときは、左右車輪伝動ケース１を最下動させて機体２を非苗植姿勢に上昇させ、左右鎮圧具４が非作用姿勢位置へ連動して上昇され、機体２の走行旋回の邪魔にならない状態となり、容易に機体の旋回が行える。
【００２６】
前記植付ホッパ３は、左右一定間隔位置に配置の２条植え構成として、左右車輪１０間の後側幅内に配置している。機体２の後部には、ターンテーブル構成に複数の苗カップ１９を連接して回転搬送する苗供給装置２０を設け、この苗供給装置２０の機体後側の下側に植付ホッパ３を左右に２つ配置している。この苗カップ１９を左右方向へ回転することによって、機体２上部の補助苗受台２１に予め搭載されている苗トレイから苗を取出しながら各苗カップ１９へ供給する。この各苗カップ１９が回転して植付ホッパ３の上側に位置したときは、カップ底部のシャッタが開かれて、収容していた苗を下側の植付ホッパ３に落下供給する構成である。
【００２７】
この植付ホッパ３は、苗植ブラケット２２に対して左右へ開閉回動可能に設けられて、上側に前記苗カップ１９から供給される苗を落下案内するホッパ２３を有し、植付伝動機構である苗植伝動ケース２４に対して平行リンクアーム２５、２６を介して昇降駆動する構成としている。前記苗植伝動ケース２４は機体２のフレーム部に固着して、前記ミッションケース７部から伝動構成される。この伝動機構の一部によって回転されるクランクアーム軸２７によってロッド２８を介して上側のリンクアーム２５が昇降回動されて、植付ホッパ３を上下方向に軌跡Ｐにて植付作動する。
【００２８】
前記苗植ブラケット２２のレバー２９と下側のリンクアーク２６の基端部に形成のアーム３０との間はワイヤ３１で連結して、植付ホッパ３の昇降に伴って、この植付ホッパ３を開閉するものである。前記クランクアーム軸２７の回転によって植付ホッパ３を略楕円形状の植付軌跡Ｐを描いて昇降させると共に、この上死点直前位置から下降する行程ではこの植付ホッパ３を閉鎖状態とし、最下降位置で開き上昇行程は開いたままである。
【００２９】
左右植付ホッパ３は、苗植伝動ケース２４に装着した位置から大きく左右外側方に変位した位置になるように構成している。即ち、左側の植付ホッパ３は、苗植伝動ケース２４に対して平行リンクアーム２５、２６を介して昇降駆動する構成としているが、該平行リンクアーム２５、２６は苗植伝動ケース２４に装着された基部から機体左外側に向けて折り曲げた構成としており、該平行リンクアーム２５、２６の先端部に装着される左植付ホッパ３の前方には空間部が構成された構造となっている。後述の左車輪１０の左右位置調節（トレッド調節）により、この空間部に左車輪１０を位置させることができ、左苗植付位置のすぐ近傍に左車輪１０を配置することができる。
【００３０】
同様に、右側の植付ホッパ３は、苗植伝動ケース２４に対して平行リンクアーム２５、２６を介して昇降駆動する構成としているが、該平行リンクアーム２５、２６は苗植伝動ケース２４に装着された基部から機体右外側に向けて折り曲げた構成としており、該平行リンクアーム２５、２６の先端部に装着される右植付ホッパ３の前方には空間部が構成された構造となっている。後述の右車輪１０の左右位置調節（トレッド調節）により、この空間部に右車輪１０を位置させることができ、右苗植付位置のすぐ近傍に右車輪１０を配置することができる。従って、畝Ａの左右端のぎりぎりの位置に苗を植付けが行える。
（薬剤施用装置）
薬剤施用装置５１は、苗供給装置２０と操縦ハンドル８の間に繰出機構５２と薬剤タンク５３を配置し、繰出機構５２から案内ホース５４を接続し、条間調節によっても苗位置との関係が固定されるように下端の吐出口を鎮圧装置４の支持フレーム４ａに取付ける。薬剤タンク５３は、増量ホッパとして使用できるように、口径を予備薬剤５３ａのボトル径と同じにする。繰出機構５２の繰出ロール５２ａは、株間が変わっても点播間隔が維持されるように、植付ホッパ３の苗植ブラケット２２の上下動作と連動するリンクを連結し、条間調節のないリンクから回動駆動する繰出伝動機構５５を設ける。繰出機構５２は、ラチェット等の一方回動による間欠伝動部材５２ｂを備え、連続回転または動作を間欠動作に変換して薬剤を点播する。
【００３１】
このように、苗供給装置２０と操縦ハンドル８の間に薬剤施用装置５１を配置することにより、操縦ハンドル８の旋回操作時でも、乗車走行時でも、薬剤タンク５３の確認が容易となり、また、後方バランスとすることにより、ハンドル押し下げ荷重を低減できる。
【００３２】
また、薬剤施用装置５１のロール中心位置は、図１の苗株移植機の要部背面図を図２に示すように、条間調節による薬剤落下までのタイムラグが変化しないように、スライドする案内ホース５４の最大条間と最小条間の中心位置とする。案内ホース５４の吐出口の基本位置は、苗の植付け位置よりも畦の中央寄りとすることにより、畦の左右外側が落ち込んで薬剤が降雨によって流れ易い台形畦の場合に対応することができる。薬剤位置の微調節は、鎮圧装置４の支持フレーム４ａをレールとして前後方向に調節する。
（スライド支持構成）
次に、スライド支持構成の薬剤施用装置６１について説明する。なお、以下において、前記同様の部材は、その符号を付すことにより説明を省略する。
【００３３】
この薬剤施用装置６１は、要部側面図および背面図をそれぞれ図３，図４に示すように、繰出機構６２の定量繰出ロール６２ａの軸線を機体の前後方向に向け、車幅方向に延びる横断フレーム６３によって機体の外側方向に着脱可能に支持する。ロール６２ａの前側にはラチェットによる間欠伝動部材６２ｂを介して繰出伝動機構６４と連結し、後側には繰出量調節ノブ６２ｃを設ける。繰出伝動機構６４のリンクは、上死点付近の作動をカットするために、長穴連結部６４ａを介設して構成する。
【００３４】
上記構成の薬剤施用装置６１は、繰出伝動機構６４のリンクを左右方向に向けて構成できるので、アーム比設定の自由度が増し、繰出ロール６２ａの送り量の変更が容易となる。繰出量については、操縦ハンドル８側に位置する繰出量調節ノブ６２ｃにより、乗車前に容易に確認することができるとともに、調節操作も容易である。また、一体構成のタンク５３の残量取出しの際は、横断フレーム６３による車幅方向のスライド操作により外側方の広いスペースを利用して容易に着脱可能なので、機体の前後方向に植付装置３等が近接して十分な操作スペースがとれなくても、操作性を確保することができる。
（鎮圧輪フレーム装荷）
次に、鎮圧輪フレーム装荷の薬剤施用装置について説明する。この薬剤施用装置７１は、要部側面図および背面図をそれぞれ図５，図６に示すように、支持スプリング４ｂを連結した鎮圧装置４の支持フレーム４ａに本体部を装荷する。繰出機構７２の繰出ロール７２ａにはその揺動駆動用の繰出アーム７２ｂを設け、この繰出アーム７２ｂに作用する作用アーム７３を植付ホッパ３に取付けて植付ホッパ３と連動する繰出伝動機構を構成し、支持フレーム４ａに案内ホース７４を固定する。
【００３５】
このように薬剤施用装置７１を構成することにより、案内ホース７４の落下位置を固定したままで条間調節することができるので、最短の落下距離でタイムラグを最小限まで抑えることができるとともに、その自重を鎮圧装置の鎮圧荷重として有効に利用することができる。
【００３６】
また、鎮圧輪４には、放射状のリブ４ｃを内側面Ｂに形成し、この内側面Ｂを外側に傾斜して薬剤が当たる位置に案内ホース７４の吐出口を固定する。リブ４ｃは、鎮圧輪４の中心部を高く外周側を徐々に低くすることにより、鎮圧輪４が回動するまで上部に受けた薬剤を一時的に保持し、鎮圧輪４の回転に伴って鎮圧前の植え穴に確実に入れることができる。
（植付けホッパ装荷）
次に、植付けホッパ装荷の薬剤施用装置について説明する。この薬剤施用装置８１は、その要部側面図を図７（ａ）に示すように、ゴムボール入りの薬剤ホッパ８１ａを植付ホッパ３に取付け、植付けた苗株の株元近くに薬剤を落とすように案内ホース８２を取付け、その下端に吐出機構８３を設けて構成する。吐出機構８３は、その拡大図を同図（ｂ）に示すように、圃場面を検出するためのローラー構造の感知部８４を一体に構成した弁体８５をリターンスプリング８５ａによって閉鎖状態に軸支する。薬剤ホッパ８１ａは、案内ホース８２の角度変化を抑えるように案内ホース８２の接続口を植付ホッパ３に近接して形成する。感知部８４には、弁体８５の開閉タイミングおよび開放角度を変化させて施用量を調節するために、検出位置調節用のアジャスタ８４ａを設ける。
【００３７】
上記構成の薬剤施用装置８１は、植付ホッパ３が下降して感知部８４が圃場面によって突き上げられることにより弁体８５が開放されて案内ホース８２から薬剤が吐出される。その弁体８５については、内面にスポンジゴムを貼り付けておくことによって薬剤を密閉保持することができ、また、弁体８５の開き側を植付ホッパ３に向けることにより、植付けた苗株の株元に近接して薬剤を施用することができる。
（植付部カバー内配置）
次に、植付部カバー内配置の薬剤施用装置について説明する。この薬剤施用装置９１は、その要部側面図を図８に示すように、苗供給装置２０の下部を覆って設けた植付部カバー９２の内部に薬剤ホッパ９１ａをフレーム２ｃに取付けて構成する。薬剤ホッパ９１ａから連通する案内ホース９３の下端には、ホースホルダ９４を取付けて開閉可能にシャッタ９４ａを設け、畦面高さに合わせて薬剤を落とすように、取付ステーを介して鎮圧輪の支持フレーム４ａにホースホルダ９４を取付ける。ホースホルダ９４には、前後方向の位置調節部９４ｂを設け、鎮圧輪の覆土前に薬剤を落として薬剤が株元に寄せられるように位置を定める。
【００３８】
シャッタ９４ａは開閉レバー９４ｃを一体に構成し、リターンスプリングを取付けてホースホルダ９４に軸支するとともに、開閉レバー９４ｃに作用する作用部９５を植付ホッパ３から突設することにより、植付ホッパ３の下降位置と対応してシャッタ９４ａが開いて薬剤が吐出される。
【００３９】
上記薬剤ホッパ９１ａは、機体後部から投入操作するための投入口９１ｂを傾斜して形成することにより、薬剤投入の際の操作性を確保することができる。また、開閉レバー９４ｃは、長さ調節可能に構成することにより、シャッタ９４ａの開き具合を調節して薬剤吐出量を調節することができる。機体旋回の際は、鎮圧輪の支持フレーム４ａの上昇によってシャッタ９４ａを含むホースホルダ９４が上昇することから、畦面に引きずることなく容易に操作することができる。
【図１】
2014131520.tif 000003
【図２】
2014131520.tif 000004
【図３】
2014131520.tif 000005
【図４】
2014131520.tif 000006
【図５】
2014131520.tif 000007
【図６】
2014131520.tif 000008
【図７】
2014131520.tif 000009
【図８】
2014131520.tif 000010
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
植付ホッパ（３）によって苗株を植付けする植付装置と、植付ホッパ（３）に苗を供給する苗供給装置（２０）と、植付ホッパ（３）による左右各苗植付位置を鎮圧する左右の鎮圧装置（４）と、薬剤を繰出す繰出機構（５２）を備えた薬剤施用装置（５１）とを備え、前記植付ホッパ（３）を機体左右方向に２つ並列して配置し、前記繰出機構（５２）に案内ホース（５４）を接続すると共に、薬剤施用装置（５１）の中心位置を、案内ホース（５４）の下端の吐出口をスライドさせて行う条間調節の最大条間と最小条間の中心位置に配置した苗株移植機。
【請求項２】
案内ホース（５４）の下端の吐出口を鎮圧装置（４）の支持フレーム（４ａ）に取付け、支持フレーム（４ａ）をスライドさせて条間調節する構成とした請求項１に記載の苗株移植機。
【請求項３】
案内ホース（５４）の吐出口を、苗の植付け位置よりも機体左右方向中央寄りに配置した請求項１又は請求項２に記載の苗株移植機。
【請求項４】
前記鎮圧輪（４）の内側面（Ｂ）にリブ（４ｃ）を形成し、この内側面（Ｂ）を外側に傾斜して薬剤が当たる位置に案内ホース（７４）の吐出口を固定した請求項１から請求項３の何れか１項に記載の苗株移植機。
【手続補正２】
【補正対象書類名】明細書
【補正対象項目名】全文
【補正方法】変更
【補正の内容】
【発明の詳細な説明】
【技術分野】
【０００１】
本発明は、機体に植付装置と薬剤施用装置とを備える苗株移植機に関するものである。
【背景技術】
【０００２】
変速伝動装置に主車輪および歩行操作用の操縦ハンドルを設けた機体に植付装置と薬剤施用装置とを備える歩行型薬剤施用苗株移植機において、植付けするべき各苗株について規定量の薬剤（肥料や殺菌剤や殺虫剤などの薬剤）を施用するためには、植付ホッパのタイミングと合わせるとともに、株間距離の変更に対応するための複雑な伝動系による薬剤吐出手段を要し、コスト上およびメンテナンス上の問題を避けることができないことから、この問題を解決するために、特許文献１に示される薬剤施用装置を備えた植付装置が知られている。
【０００３】
この苗株移植機の植付装置は、投入苗株を受ける周回カップを備えた回転テーブルによる苗株供給装置に薬剤施用装置を設けることによって簡易かつ確実に規定量の薬剤を施用しつつ、その下方で上下動作する植付ホッパによって苗株を圃場に植付けすることができる。
【先行技術文献】
【特許文献】
【０００４】
【特許文献１】特開２０００−１２５６１９号公報
【発明の概要】
【発明が解決しようとする課題】
【０００５】
しかしながら、上記構成の薬剤施用装置は、周回カップ内の苗に上方から薬剤が供給される構成であるために、苗の葉や茎に薬剤が大量に付着してしまって、苗が薬害を受けてしまい、移植後の苗の成育に問題があった。また、植付けする苗株を移送するカップ内に薬剤が付着したり植付具に付着することがあり、施用量のバラツキを招くという問題があった。
【０００６】
解決しようとする問題点は、簡易な構成で施用タイミングを確実に合わせて規定量の薬剤を苗に対して適切に施用することができる歩行型薬剤施用苗株移植機を提供することにある。
【課題を解決するための手段】
【０００７】
請求項１の発明は、植付ホッパ（３）によって苗株を植付けする植付装置と、植付ホッパ（３）に苗を供給する苗供給装置（２０）と、植付ホッパ（３）による左右各苗植付位置を鎮圧する左右の鎮圧装置（４）と、薬剤を繰出す繰出機構（５２）を備えた薬剤施用装置（５１）とを備え、前記植付ホッパ（３）を機体左右方向に２つ並列して配置し、前記繰出機構（５２）に案内ホース（５４）を接続すると共に、薬剤施用装置（５１）の中心位置を、案内ホース（５４）の下端の吐出口をスライドさせて行う条間調節の最大条間と最小条間の中心位置に配置した苗株移植機とする。
【０００８】
請求項２の発明は、案内ホース（５４）の下端の吐出口を鎮圧装置（４）の支持フレーム（４ａ）に取付け、支持フレーム（４ａ）をスライドさせて条間調節する構成とした請求項１に記載の苗株移植機とする。
【０００９】
請求項３の発明は、案内ホース（５４）の吐出口を、苗の植付け位置よりも機体左右方向中央寄りに配置した請求項１又は請求項２に記載の苗株移植機とする。
請求項４の発明は、前記鎮圧輪（４）の内側面（Ｂ）にリブ（４ｃ）を形成し、この内側面（Ｂ）を外側に傾斜して薬剤が当たる位置に案内ホース（７４）の吐出口を固定した請求項１から請求項３の何れか１項に記載の苗株移植機とする。
【発明の効果】
【００１０】
請求項１の発明によると、薬剤施用装置（５１）の中心位置を、案内ホース（５４）の下端の吐出口をスライドさせて行う条間調節の最大条間と最小条間の中心位置に配置したので、条間調節による薬剤落下までのタイムラグの変化を抑制できる。
【００１１】
請求項２の発明によると、請求項１の発明の効果に加えて、案内ホース（５４）の下端の吐出口を鎮圧装置（４）の支持フレーム（４ａ）に取付け、支持フレーム（４ａ）をスライドさせて条間調節する構成としたので、条間調節にかかわらず吐出口と苗との位置関係を維持できる。
【００１２】
請求項３の発明によると、請求項１又は請求項２の発明の効果に加えて、案内ホース（５４）の吐出口を、苗の植付け位置よりも畦の中央寄りとすることができ、畦の左右外側が落ち込んで薬剤が降雨によって流れ易い台形畦の場合に対応することができる。
【００１３】
請求項４の発明によると、請求項１から請求項３の何れか１項の発明の効果に加えて、鎮圧前の植え穴に薬剤を確実に入れることができる。
【図面の簡単な説明】
【００１４】
【図１】本発明に係る歩行型薬剤施用苗株移植機の側面図
【図２】図１の苗株移植機の要部背面図
【図３】スライド支持構成の薬剤施用装置の要部側面図
【図４】図３の薬剤施用装置の背面図
【図５】鎮圧輪フレーム装荷の薬剤施用装置の要部側面図
【図６】図５の薬剤施用装置の背面図
【図７】植付けホッパ装荷の薬剤施用装置の要部側面図（ａ）とその拡大図（ｂ）
【図８】植付部カバー内配置の薬剤施用装置の要部側面図
【発明を実施するための最良の形態】
【００１５】
上記技術思想に基づいて具体的に構成された実施の形態について以下に図面を参照しつつ説明する。
図１は、本発明に係る歩行型薬剤施用苗株移植機の側面図である。
【００１６】
この発明の実施の一形態の２条植え苗株移植機を以下に説明する。尚、以下の説明では、操縦ハンドル８を配置した側を後とし、その反対側、即ちエンジン６を配置した側を前とする。そして、機体後部において機体前部側に向って立つ作業者の右手側を右とし、左手側を左とする。
【００１７】
機体２は、前部にエンジン６、及び変速伝動装置であるミッションケース７を配置して、その後方に延びるフレーム２ｃの後端部に操縦ハンドル８を設け、ミッションケース７の両側に張出す左右アクスルハウジング９の周りに回動する回動筒部９ａに各々上下揺動する左右の車輪伝動ケース１を設け、この車輪伝動ケース１の後端部に設けた車軸１１に主車輪１０を軸装して、これら左右の車輪１０と、機体２前端部に設けた前輪軸１２に軸装した左右の前輪１３とによって走行する構成にしている。また、エンジン６の上側には燃料タンク６ｂが設けられ、その上部をボンネット６ｃが覆い、このボンネット６ｃの上方に苗株を投入する作業者用の座席３３を設ける。
【００１８】
機体２には左右の車輪１０を上下動させて機体高さを制御する機体制御機構が設けられている。この機体制御機構は、ミッションケース７の上に配置した油圧バルブユニットから後方に向けて昇降アクチュエータとしての昇降油圧シリンダ１５が設けられ、該昇降油圧シリンダ１５のピストンロッドの先端部に機体左右方向に長いアームとしての連動アーム１６が上下方向の軸まわりに回動自在に取り付けられている。ピストンロッドは、前部が油圧バルブユニットに支持され後部が機体２に固着された取付部材２ａに支持されたガイド軸２ｂに沿って摺動するようになっている。連動アーム１６の左右両端部と、回動筒部９ａに固着した左右のハウジングアーム１４とが、連結体としての左右ロッド１８を介して連結されている。左側の左ロッド１８は、ローリングシリンダ１７が組み込まれており、該ローリングシリンダ１７を伸縮作動させることにより長さを変えられるようになっている。
【００１９】
昇降油圧シリンダ１５及びローリングシリンダ１７は、各々作動油を油圧バルブユニット内の昇降制御バルブとローリング制御バルブとで制御して作動させられる。昇降油圧シリンダ１５を伸縮作動させると、左右車輪１０が同方向に同量だけ機体に対し上下動し、機体が昇降する。また、ローリングシリンダ１７を伸縮作動させると、左車輪１０が機体に対し上下動し、機体が左右に傾斜する。
【００２０】
５は畝上面を検出する昇降センサであって、該昇降センサ５が上下回動すると、その回動を連結ロッドにて昇降制御バルブに伝え、昇降センサ５の角度が元に戻る方向に昇降油圧シリンダ１５を作動させる。これにより、畝の上面から機体までの高さを一定に維持するように機体を昇降制御し、畝の高さ変更に係わらず常に苗の植付深さが一定になるように制御され、植付後の苗の成育が良い。
【００２１】
なお、油圧バルブユニット内のローリング制御バルブは後述の左右鎮圧具４の相対高さの変動による畝Ａ上面の左右傾斜検出に連動して切り替わるようになっており、機体が左右に傾斜するとローリングシリンダ１７が適宜作動し、機体を左右水平に戻すように制御する。また、操縦ハンドル８の基部には操作パネル８ａが設けられ、該操作パネル８ａに、昇降制御バルブを手動操作して機体を手動にて上下動させると共に植付部の駆動を止める植付昇降レバー８ｂとメインクラッチの入・切操作をするメインクラッチレバー８ｃが設けられている。
【００２２】
即ち、一方のハウジングアーム１４と連動アーム１６の側端部との間を連結する一側部の前記ローリングシリンダ１７の伸縮によって、この側の車輪１０を、他側部の前記ロッド１８によって連結された側の車輪１０に対して昇降させて、機体２をローリングさせて、機体２の左右傾斜を水平にしたり、土壌面に対して平行状にすることができ、機体２の左右傾斜姿勢を制御することができる。そして、このような昇降制御は、後述の昇降センサ５の検出により行い、ローリング制御は、苗植位置の植付けた苗に対して左右側部から鎮圧作用を行なう鎮圧具４によって左右傾斜状態を検出して行うものである。
【００２３】
ここにおいて、左右の車輪伝動ケース１を上下揺動可能に設けた苗植機において、機体左右方向に２つ並列して配置した左右の植付具である植付ホッパ３による左右各苗植付位置を鎮圧する左右鎮圧具４の上下揺動によってローリング制御する構成である。植付ホッパ３の昇降によって圃場に植付けた苗の左右側方を鎮圧具４によって鎮圧し、苗植付姿勢を安定した状態とする。このとき、左右の苗植付位置を各々鎮圧する左右鎮圧具４の支持フレーム４ａを、苗植付土壌面の左右傾斜を検出するセンサとして機能する構成にしている。左右の各鎮圧具４は、左右の苗植位置毎に独立的に上下揺動して、この揺動位置の高さの差異によって植付土壌面の左右傾斜を検出して、これらの土壌面の傾斜検出によって前記一方の車輪伝動ケース１を上下に揺動させて、機体２を土壌面と左右平行状に維持するようにローリング制御する。
【００２４】
また、前記左右の車輪伝動ケース１の非苗植位置への揺動（左右車輪１０を最下動させて機体を最も上昇させた状態）によって、左右両鎮圧具４を非接地高さへ上昇するように連動構成している。即ち、機体を高く上昇させるときは、左右車輪伝動ケース１を最下動させて機体２を非苗植姿勢に上昇させ、左右鎮圧具４が非作用姿勢位置へ連動して上昇され、機体２の走行旋回の邪魔にならない状態となり、容易に機体の旋回が行える。
【００２５】
前記植付ホッパ３は、左右一定間隔位置に配置の２条植え構成として、左右車輪１０間の後側幅内に配置している。機体２の後部には、ターンテーブル構成に複数の苗カップ１９を連接して回転搬送する苗供給装置２０を設け、この苗供給装置２０の機体後側の下側に植付ホッパ３を左右に２つ配置している。この苗カップ１９を左右方向へ回転することによって、機体２上部の補助苗受台２１に予め搭載されている苗トレイから苗を取出しながら各苗カップ１９へ供給する。この各苗カップ１９が回転して植付ホッパ３の上側に位置したときは、カップ底部のシャッタが開かれて、収容していた苗を下側の植付ホッパ３に落下供給する構成である。
【００２６】
この植付ホッパ３は、苗植ブラケット２２に対して左右へ開閉回動可能に設けられて、上側に前記苗カップ１９から供給される苗を落下案内するホッパ２３を有し、植付伝動機構である苗植伝動ケース２４に対して平行リンクアーム２５、２６を介して昇降駆動する構成としている。前記苗植伝動ケース２４は機体２のフレーム部に固着して、前記ミッションケース７部から伝動構成される。この伝動機構の一部によって回転されるクランクアーム軸２７によってロッド２８を介して上側のリンクアーム２５が昇降回動されて、植付ホッパ３を上下方向に軌跡Ｐにて植付作動する。
【００２７】
前記苗植ブラケット２２のレバー２９と下側のリンクアーク２６の基端部に形成のアーム３０との間はワイヤ３１で連結して、植付ホッパ３の昇降に伴って、この植付ホッパ３を開閉するものである。前記クランクアーム軸２７の回転によって植付ホッパ３を略楕円形状の植付軌跡Ｐを描いて昇降させると共に、この上死点直前位置から下降する行程ではこの植付ホッパ３を閉鎖状態とし、最下降位置で開き上昇行程は開いたままである。
【００２８】
左右植付ホッパ３は、苗植伝動ケース２４に装着した位置から大きく左右外側方に変位した位置になるように構成している。即ち、左側の植付ホッパ３は、苗植伝動ケース２４に対して平行リンクアーム２５、２６を介して昇降駆動する構成としているが、該平行リンクアーム２５、２６は苗植伝動ケース２４に装着された基部から機体左外側に向けて折り曲げた構成としており、該平行リンクアーム２５、２６の先端部に装着される左植付ホッパ３の前方には空間部が構成された構造となっている。後述の左車輪１０の左右位置調節（トレッド調節）により、この空間部に左車輪１０を位置させることができ、左苗植付位置のすぐ近傍に左車輪１０を配置することができる。
【００２９】
同様に、右側の植付ホッパ３は、苗植伝動ケース２４に対して平行リンクアーム２５、２６を介して昇降駆動する構成としているが、該平行リンクアーム２５、２６は苗植伝動ケース２４に装着された基部から機体右外側に向けて折り曲げた構成としており、該平行リンクアーム２５、２６の先端部に装着される右植付ホッパ３の前方には空間部が構成された構造となっている。後述の右車輪１０の左右位置調節（トレッド調節）により、この空間部に右車輪１０を位置させることができ、右苗植付位置のすぐ近傍に右車輪１０を配置することができる。従って、畝Ａの左右端のぎりぎりの位置に苗を植付けが行える。
（薬剤施用装置）
薬剤施用装置５１は、苗供給装置２０と操縦ハンドル８の間に繰出機構５２と薬剤タンク５３を配置し、繰出機構５２から案内ホース５４を接続し、条間調節によっても苗位置との関係が固定されるように下端の吐出口を鎮圧装置４の支持フレーム４ａに取付ける。薬剤タンク５３は、増量ホッパとして使用できるように、口径を予備薬剤５３ａのボトル径と同じにする。繰出機構５２の繰出ロール５２ａは、株間が変わっても点播間隔が維持されるように、植付ホッパ３の苗植ブラケット２２の上下動作と連動するリンクを連結し、条間調節のないリンクから回動駆動する繰出伝動機構５５を設ける。繰出機構５２は、ラチェット等の一方回動による間欠伝動部材５２ｂを備え、連続回転または動作を間欠動作に変換して薬剤を点播する。
【００３０】
このように、苗供給装置２０と操縦ハンドル８の間に薬剤施用装置５１を配置することにより、操縦ハンドル８の旋回操作時でも、乗車走行時でも、薬剤タンク５３の確認が容易となり、また、後方バランスとすることにより、ハンドル押し下げ荷重を低減できる。
【００３１】
また、薬剤施用装置５１のロール中心位置は、図１の苗株移植機の要部背面図を図２に示すように、条間調節による薬剤落下までのタイムラグが変化しないように、スライドする案内ホース５４の最大条間と最小条間の中心位置とする。案内ホース５４の吐出口の基本位置は、苗の植付け位置よりも畦の中央寄りとすることにより、畦の左右外側が落ち込んで薬剤が降雨によって流れ易い台形畦の場合に対応することができる。薬剤位置の微調節は、鎮圧装置４の支持フレーム４ａをレールとして前後方向に調節する。
（スライド支持構成）
次に、スライド支持構成の薬剤施用装置６１について説明する。なお、以下において、前記同様の部材は、その符号を付すことにより説明を省略する。
【００３２】
この薬剤施用装置６１は、要部側面図および背面図をそれぞれ図３，図４に示すように、繰出機構６２の定量繰出ロール６２ａの軸線を機体の前後方向に向け、車幅方向に延びる横断フレーム６３によって機体の外側方向に着脱可能に支持する。ロール６２ａの前側にはラチェットによる間欠伝動部材６２ｂを介して繰出伝動機構６４と連結し、後側には繰出量調節ノブ６２ｃを設ける。繰出伝動機構６４のリンクは、上死点付近の作動をカットするために、長穴連結部６４ａを介設して構成する。
【００３３】
上記構成の薬剤施用装置６１は、繰出伝動機構６４のリンクを左右方向に向けて構成できるので、アーム比設定の自由度が増し、繰出ロール６２ａの送り量の変更が容易となる。繰出量については、操縦ハンドル８側に位置する繰出量調節ノブ６２ｃにより、乗車前に容易に確認することができるとともに、調節操作も容易である。また、一体構成のタンク５３の残量取出しの際は、横断フレーム６３による車幅方向のスライド操作により外側方の広いスペースを利用して容易に着脱可能なので、機体の前後方向に植付装置３等が近接して十分な操作スペースがとれなくても、操作性を確保することができる。
（鎮圧輪フレーム装荷）
次に、鎮圧輪フレーム装荷の薬剤施用装置について説明する。この薬剤施用装置７１は、要部側面図および背面図をそれぞれ図５，図６に示すように、支持スプリング４ｂを連結した鎮圧装置４の支持フレーム４ａに本体部を装荷する。繰出機構７２の繰出ロール７２ａにはその揺動駆動用の繰出アーム７２ｂを設け、この繰出アーム７２ｂに作用する作用アーム７３を植付ホッパ３に取付けて植付ホッパ３と連動する繰出伝動機構を構成し、支持フレーム４ａに案内ホース７４を固定する。
【００３４】
このように薬剤施用装置７１を構成することにより、案内ホース７４の落下位置を固定したままで条間調節することができるので、最短の落下距離でタイムラグを最小限まで抑えることができるとともに、その自重を鎮圧装置の鎮圧荷重として有効に利用することができる。
【００３５】
また、鎮圧輪４には、放射状のリブ４ｃを内側面Ｂに形成し、この内側面Ｂを外側に傾斜して薬剤が当たる位置に案内ホース７４の吐出口を固定する。リブ４ｃは、鎮圧輪４の中心部を高く外周側を徐々に低くすることにより、鎮圧輪４が回動するまで上部に受けた薬剤を一時的に保持し、鎮圧輪４の回転に伴って鎮圧前の植え穴に確実に入れることができる。
（植付けホッパ装荷）
次に、植付けホッパ装荷の薬剤施用装置について説明する。この薬剤施用装置８１は、その要部側面図を図７（ａ）に示すように、ゴムボール入りの薬剤ホッパ８１ａを植付ホッパ３に取付け、植付けた苗株の株元近くに薬剤を落とすように案内ホース８２を取付け、その下端に吐出機構８３を設けて構成する。吐出機構８３は、その拡大図を同図（ｂ）に示すように、圃場面を検出するためのローラー構造の感知部８４を一体に構成した弁体８５をリターンスプリング８５ａによって閉鎖状態に軸支する。薬剤ホッパ８１ａは、案内ホース８２の角度変化を抑えるように案内ホース８２の接続口を植付ホッパ３に近接して形成する。感知部８４には、弁体８５の開閉タイミングおよび開放角度を変化させて施用量を調節するために、検出位置調節用のアジャスタ８４ａを設ける。
【００３６】
上記構成の薬剤施用装置８１は、植付ホッパ３が下降して感知部８４が圃場面によって突き上げられることにより弁体８５が開放されて案内ホース８２から薬剤が吐出される。その弁体８５については、内面にスポンジゴムを貼り付けておくことによって薬剤を密閉保持することができ、また、弁体８５の開き側を植付ホッパ３に向けることにより、植付けた苗株の株元に近接して薬剤を施用することができる。
（植付部カバー内配置）
次に、植付部カバー内配置の薬剤施用装置について説明する。この薬剤施用装置９１は、その要部側面図を図８に示すように、苗供給装置２０の下部を覆って設けた植付部カバー９２の内部に薬剤ホッパ９１ａをフレーム２ｃに取付けて構成する。薬剤ホッパ９１ａから連通する案内ホース９３の下端には、ホースホルダ９４を取付けて開閉可能にシャッタ９４ａを設け、畦面高さに合わせて薬剤を落とすように、取付ステーを介して鎮圧輪の支持フレーム４ａにホースホルダ９４を取付ける。ホースホルダ９４には、前後方向の位置調節部９４ｂを設け、鎮圧輪の覆土前に薬剤を落として薬剤が株元に寄せられるように位置を定める。
【００３７】
シャッタ９４ａは開閉レバー９４ｃを一体に構成し、リターンスプリングを取付けてホースホルダ９４に軸支するとともに、開閉レバー９４ｃに作用する作用部９５を植付ホッパ３から突設することにより、植付ホッパ３の下降位置と対応してシャッタ９４ａが開いて薬剤が吐出される。
【００３８】
上記薬剤ホッパ９１ａは、機体後部から投入操作するための投入口９１ｂを傾斜して形成することにより、薬剤投入の際の操作性を確保することができる。また、開閉レバー９４ｃは、長さ調節可能に構成することにより、シャッタ９４ａの開き具合を調節して薬剤吐出量を調節することができる。機体旋回の際は、鎮圧輪の支持フレーム４ａの上昇によってシャッタ９４ａを含むホースホルダ９４が上昇することから、畦面に引きずることなく容易に操作することができる。